(57)【要約】【課題】  出射光の出射角の大小を切り替えることが可能な照明装置を提供する。【解決手段】  複数の光源２，３からの光を導光板１の側方から入射させ、導光板１の表面１Ｃから出射させる照明装置１０であって、各光源２，３は導光板１の角部１ａ，１ｂに配置され、各光源２，３からの光を反射してそれぞれ異なる出射角で表面１Ｃから出射させる傾斜面２２を備えた溝２０ａ，２０ｂ，２０ｃが、各光源２，３に対応して導光板１に設けられ、各光源２，３は制御部９によりそれぞれ独立して駆動可能とされている。【選択図】        図１
2005331565.tif 000002
【特許請求の範囲】
【請求項１】
複数の光源からの光を導光板の側方から入射させ、前記導光板の一方の主平面から出射させる照明装置であって、
前記導光板には、第１の前記光源からの光を反射して前記一方の主平面から出射させる第１の傾斜面と、第２の前記光源からの光を反射して前記第１の光源から出射された光とは異なる出射角で前記一方の主平面から出射させる第２の傾斜面と、が設けられ、
前記各光源は、それぞれ独立して駆動可能とされていることを特徴とする照明装置。
【請求項２】
前記複数の光源は、前記導光板の異なる角部にそれぞれ配置されてなることを特徴とする請求項１に記載の照明装置。
【請求項３】
前記導光板における他方の主平面上には、光反射シートが配置されていることを特徴とする請求項１又は２に記載の照明装置。
【請求項４】
前記導光板における前記一方の主平面上には、前記導光板の一方の主平面と対向する側に凹凸形状を有し、前記導光板からの出射光を屈折させるプリズムシートが配置されていることを特徴とする請求項１乃至３のいずれか１項に記載の照明装置。
【請求項５】
前記プリズムシートは、前記導光板の前記一方の主平面に対向するプリズムの頂角が５５〜７０°とされていることを特徴とする請求項４に記載の照明装置。
【請求項６】
前記第１の傾斜面の傾斜角度が０．５〜５°とされ、前記第２の傾斜面の傾斜角度が２０〜５０°とされていることを特徴とする請求項４又は５に記載の照明装置。
【請求項７】
前記導光板における前記一方の主平面上には、前記導光板からの出射光を拡散させる拡散シートが配置されてなり、
前記第１の傾斜面の傾斜角度が３５〜５０°とされ、前記第２の傾斜面の傾斜角度が５〜３５°または５０〜７０°とされていることを特徴とする請求項１乃至３のいずれか１項に記載の照明装置。
【請求項８】
前記傾斜面は、前記導光板の前記主平面に形成された溝および／または突条に設けられていることを特徴とする請求項１ないし請求項７のいずれかに記載の照明装置。
【請求項９】
前記傾斜面は、前記各光源を中心とする略同心円状に配置されていることを特徴とする請求項１ないし請求項８のいずれかに記載の照明装置。
【請求項１０】
請求項１ないし請求項９のいずれかに記載の照明装置を備えたことを特徴とする液晶表示装置。
【請求項１１】
請求項１０に記載の液晶表示装置を備えたことを特徴とする電子機器。
【発明の詳細な説明】
【技術分野】
【０００１】
本発明は、照明装置、液晶表示装置および電子機器に関するものである。
【背景技術】
【０００２】
近年、液晶パネル等の液晶表示装置が、種々の電子機器の画像表示部に搭載されて利用されている。なかでも携帯電話等のモバイル機器の表示部には、薄型軽量で消費電力が小さいという利点から液晶表示装置が好適に用いられている。液晶表示装置は、一対の基板により液晶層が挟持された液晶パネルと、液晶パネルの非観察面側に配置された照明装置（バックライト）とを主として構成されている。そして、一対の基板の液晶層側に形成された透明電極により液晶層に電界を印加して、液晶分子の配向状態を制御することにより、照明装置からの入射光を変調して画像表示を行う構成となっている。
【０００３】
上述した照明装置は、光透過性材料からなる矩形の導光板と、その導光板の側方に配置された発光ダイオード（ＬＥＤ）等の光源とを主として構成されている。その導光板には、溝または突条のパターンが形成されている。そして、光源から出射され、導光板の側方から入射した光源光が、その溝または突条によって反射され、導光板の主平面から液晶パネルに向かって出射するようになっている（例えば、特許文献１または特許文献２参照）。
【特許文献１】特開２００１−１３３７７６号公報
【特許文献２】特開２００１−１８４９２３号公報
【発明の開示】
【発明が解決しようとする課題】
【０００４】
しかしながら、上述したモバイル機器の場合、おのずと公共の場での使用機会が多くなる。そのため、モバイル機器の使用者からは、秘密性の高い個人情報等が操作時に他人に見られてしまうのではないかという危惧と不快感の訴えが多くあがっていた。その反面、一般的に液晶表示装置ではその視野角が狭く、これから外れた方向からは表示が読み取り難く、使い勝手が悪いという問題があった。
【０００５】
本発明は、上記課題を解決するためになされたものであって、出射光の出射角の大小を切り替えることが可能な照明装置の提供を目的とする。
また、視野角の広狭を切り替えて使用することが可能な電気光学装置および電子機器の提供を目的とする。
【課題を解決するための手段】
【０００６】
上記目的を達成するため、本発明の照明装置は、複数の光源からの光を導光板の側方から入射させ、前記導光板の一方の主平面から出射させる照明装置であって、前記導光板には、第１の前記光源からの光を反射して前記一方の主平面から出射させる第１の傾斜面と、第２の前記光源からの光を反射して前記第１の光源から出射された光とは異なる出射角で前記一方の主平面から出射させる第２の傾斜面と、が設けられ、前記各光源は、それぞれ独立して駆動可能とされていることを特徴とする。
この構成によれば、各光源を独立して駆動することにより、出射光の出射角を切り替えることができる。
【０００７】
また、前記複数の光源は、前記導光板の異なる角部にそれぞれ配置されてなることが望ましい。
この構成によれば、導光板の全体に光を入射させることが可能になり、導光板に光入射の死角領域が生じない。したがって、光ムラがなくコンパクトな照明装置を提供することができる。
【０００８】
また、前記導光板における他方の主平面上には、光反射シートが配置されていることが望ましい。
この構成によれば、導光板の他方の主平面から漏れ出した光を反射して、再び導光板に入射させることができる。したがって、導光板の一方の主平面から出射される光の輝度を増加させることができる。
【０００９】
また、前記導光板における前記一方の主平面上には、前記導光板の一方の主平面と対向する側に凹凸形状を有し、前記導光板からの出射光を屈折させるプリズムシートが配置されていることが望ましい。
また、前記プリズムシートは、前記導光板の前記一方の主平面に対向するプリズムの頂角が５５〜７０°とされていることが望ましい。
この構成によれば、出射光の面輝度を均一化し得るとともに、傾斜面等の映りこみを防止することができる。
【００１０】
また、前記第１の傾斜面の傾斜角度が０．５〜５°とされ、前記第２の傾斜面の傾斜角度が２０〜５０°とされていることが望ましい。
前記プリズムシートは、前記導光板からの出射角の大きい光を前記プリズムシートからの出射角の小さい光に変換し、前記導光板からの出射角の小さい光を前記プリズムシートからの出射角の大きい光に変換する性質を有する。そのため、上記構成によれば、第１の光源からの光を小さい出射角で出射させることができるとともに、第２の光源からの光を大きい出射角で出射させることができる。したがって、各光源を独立して駆動することにより、出射角の大小を切り替えることができる。
【００１１】
また、前記導光板における前記一方の主平面上には、前記導光板からの出射光を拡散させる拡散シートが配置されてなり、前記第１の傾斜面の傾斜角度が３５〜５０°とされ、前記第２の傾斜面の傾斜角度が５〜３５°または５０〜７０°とされていることが望ましい。
この構成によれば、第１の光源からの光を小さな出射角で出射させることができるとともに、第２の光源からの光を大きな出射角で出射させることができる。したがって、各光源を独立して駆動することにより、出射角の大小を切り替えることができる。
【００１２】
また、前記傾斜面は、前記導光板の前記主平面に形成された溝および／または突条に設けられていることが望ましい。
この構成によれば、エンボス加工やブラスト加工と異なり光の出射角度を制御しやすい。また、傾斜面を連続して形成することも可能になり、傾斜面の密度を変化させる自由度が大きくできる。そのため、光源からの光を効率的に反射して導光板から出射させることができる。
【００１３】
また、前記傾斜面は、前記各光源を中心とする略同心円状に配置されていることが望ましい。
この構成によれば、傾斜面の延在方向に対して垂直に光源光が入射するので、その光を所定の出射角で導光板から出射させるべく、傾斜面の有効傾斜角度を容易に設定することができる。
【００１４】
一方、本発明の液晶表示装置は、上述した照明装置を備えたことを特徴とする。
この構成によれば、第１の光源のみを駆動することにより狭視野角の画像表示を実現することができるとともに、第２の光源を駆動することにより広視野角の画像表示を実現することができる。したがって、視野角の広狭を切り替えて使用することが可能な液晶表示装置を提供することができる。
【００１５】
一方、本発明の電子機器は、上述した液晶表示装置を備えたことを特徴とする。
この構成によれば、視野角の広狭を切り替えて使用することが可能な電子機器を提供することができる。
【発明を実施するための最良の形態】
【００１６】
以下、本発明の実施の形態を図面を参照して説明するが、以下で参照する各図面においては、図面を見やすくするため、各構成要素の膜厚や寸法の比率などを適宜異ならせて示している。なお以下には、導光板における液晶パネル側の主平面を「表面」と呼び、その反対側の主平面を「裏面」と呼ぶことにする。
【００１７】
[照明装置]
（第１実施形態）
図１は、第１実施形態に係る照明装置の説明図である。本実施形態の照明装置は、矩形平板状の導光板１と、この導光板１の角部側方に配設された第１光源２および第２光源３と、導光板１の裏面上に配設された反射シート５と、導光板１の表面上に配設された拡散シート４とから概略構成されている。
【００１８】
図１（ａ）は、第１実施形態に係る照明装置の平面図であり、図１（ｂ）のＣ−Ｃ線における断面図である。本実施形態の照明装置１０は、矩形平板状の導光板１を備えている。この導光板１は、アクリル樹脂等の光透過性材料により、厚さ０．６ｍｍ程度に形成されている。そして、導光板１の一の側面における長手方向両端角部１ａ，１ｂには、その角部と対角の角部を結ぶ直線に略直交するように、面取りが施されている。
【００１９】
その面取り面と対向するように、第１光源２および第２光源３が配置されている。第１光源２および第２光源３は、共に本実施形態の照明装置の光源となるものであって、これらは特に限定されるものではないが、小型で低消費電力である発光ダイオード（ＬＥＤ）等の固体光源が好適である。本実施形態では、導光板１の一辺の両端角部１ａ，１ｂにそれぞれ光源を配設したが、導光板１の対角線の両端角部にそれぞれ光源を配設してもよい。また、光源の配設個数は２個に限定されるものではなく、上記に加えて他の角部にも光源を配設することが可能である。
【００２０】
ところで、ＬＥＤ等の点光源は、その光軸（光学系の光源やレンズ等の中心を連ねる直線）から約±７０°の範囲で放射状に光を照射する。そのため、導光板１の側面上に光源を配設した場合には、その光軸から約±７０°を超える範囲で導光板１に光が入射せず、導光板１に光入射の死角領域が生じる。これにより、照明装置１０に光ムラが発生することになる。これに対して、本実施形態の照明装置では、導光板１の角部に光源を配設したので、導光板１の全体に光を入射させることが可能になり、導光板１に光入射の死角領域が生じない。したがって、光ムラがなくコンパクトな照明装置を提供することが可能になり、表示品質に優れた電気光学装置および電子機器を提供することができる。
【００２１】
図１（ｂ）は、図１（ａ）のＡ−Ａ線における側面断面図である。図１（ｂ）に示すように、導光板１の裏面１Ｄ上には反射シート５が配設されている。この反射シート５は、導光板１との対向面が正反射面とされている。これにより、導光板１の裏面から漏れ出した光を反射して、再び導光板１に入射させることが可能になり、導光板の表面から出射される光の輝度を増加させることができるようになっている。一方、導光板１の表面１Ｃ上には拡散シート４が配設されている。この拡散シート４として、拡散剤を分散させたアクリルシート等を使用することが可能である。この拡散シート４により、照明装置からの出射光の面輝度を均一化し得るとともに、後述する溝や突条の映りこみを防止し得るようになっている。
【００２２】
なお、照明装置１０における拡散シート４の光出射面側には、光漏れを防止するための遮光テープ８等を介して、液晶パネル１００が配設される。これにより、後に詳述する液晶表示装置が構成される。
【００２３】
上述した導光板１には、各光源からの光を液晶パネル１００に向かって反射する傾斜面が設けられている。
図２は、傾斜面の形成態様の説明図であり、図１（ａ）のＡ−Ａ線に相当する部分における側面断面図である。なお、以下には第１光源２に対応する傾斜面の場合を例にして説明するが、第２光源３に対応する傾斜面についても同様である。図２（ａ）では、導光板１の裏面１Ｄに溝２０が形成されている。この場合には、溝２０における光源２側の傾斜面が、光源２からの光を液晶パネルに向かって反射する有効傾斜面２２となっている。また、図２（ｂ）に示すように、導光板１の裏面１Ｄに突条２５を形成してもよい。この場合には、溝２０における光源２とは反対側の傾斜面が、光源２からの光を液晶パネルに向かって反射する有効傾斜面２２となっている。一方、図２（ｃ）に示すように、導光板１の表面１Ｃに溝２０を形成してもよい。また、図２（ｄ）に示すように、導光板１の表面１Ｃに突条２５を形成してもよい。また、第１光源２および第２光源３のそれぞれの有効傾斜面が同じ面になくてもよい。なお、図２（ｃ）及び図２（ｄ）において、導光板１の裏面１Ｄは、液晶パネル１００に対する平行面としてもよいが、光源２からの光を液晶パネル１００に向けて効率的に反射しうるように、液晶パネル１００に対する傾斜面としてもよい。
【００２４】
図１に戻り、本実施形態では、導光板１の裏面１Ｄに溝２０を形成する場合を例にして説明する。
本実施形態では、各光源２，３からの光を反射してそれぞれ異なる出射角で導光板１から出射させる。すなわち、第１光源２からの光を小さい出射角で導光板１から出射させるとともに、第２光源３からの光を大きい出射角で導光板１から出射させる。ここで出射角とは、照明装置１０の光軸（導光板１の法線方向）に対して出射光のなす角度である。このように、第１光源２および第２光源３からの光をそれぞれ異なる出射角で導光板１から出射させるため、第１光源２に対応して溝２０ａが、第２光源３に対応して溝２０ｂ，２０ｃが、それぞれ設けられている。そして、溝２０ａおよび溝２０ｂ，２０ｃは、それぞれ異なる有効傾斜角度の有効傾斜面を備えている。
【００２５】
なお、第１光源２に対応する溝２０ａと、第２光源３に対応する溝２０ｂ，２０ｃとは、各光源２，３を中心とする同心円状に配設されている。この場合、各溝の延在方向に対して垂直に光源光が入射するので、その光を反射して所定の出射角で導光板１から出射させるべく、各溝の有効傾斜面の有効傾斜角度を容易に設定することができる。
また、第１光源２および第２光源３は、制御部９に接続されている。この制御部９により、各光源２，３はそれぞれ独立して駆動可能とされている。
【００２６】
図３は、第１光源２に対応する溝２０ａの形状と、その溝２０ａによる光の反射作用の説明図であり、図１のＡ−Ａ線における断面図である。本実施形態では、導光板１の厚さＨが０．６ｍｍ程度であるのに対して、溝２０ａの深さｈは１０μｍ程度に小さく形成されている。そのため、導光板１の表面１Ｃと平行な光１１はほとんど溝２０ａに入射せず、導光板１の表面から数°、例えば５°程度傾斜した光１２が主として溝２０ａに入射する。そこで、この傾斜光１２を導光板１の法線方向と略平行に反射させるべく、溝２０ａにおける有効傾斜面２２の有効傾斜角度θは３５°〜５０°に設定されている。この有効傾斜面２２による反射光１４は、導光板１から出射され拡散シート４に入射すると、拡散光１８に変換される。この拡散光１８は、照明装置の光軸を中心として狭い角度範囲αに分布する。そして、この拡散光１８を、図１（ｂ）に示す液晶パネル１００に入射させることにより、狭視野角の画像表示を実現することができる。
【００２７】
図４は、第２光源３に対応する溝２０ｂの形状と、その溝２０ｂによる光の反射作用の説明図であり、図１のＢ−Ｂ線における断面図である。なお、第２光源３からの光を様々な方向に出射させるため、導光板１には少なくとも２種類の有効傾斜面を形成することが望ましい。すなわち、図４（ａ）に示す第１溝２０ｂと、図４（ｂ）に示す第２溝２０ｃとを形成する。これらの第１溝２０ｂおよび第２溝２０ｃは、図１（ａ）に示すように、略同心円状に配設すればよい。この場合、第１溝２０ｂおよび第２溝２０ｃを導光板１の表面１Ｃおよび裏面１Ｄにそれぞれ形成してもよい。
【００２８】
図４（ａ）に示す第１溝２０ｂは、有効傾斜面２２の有効傾斜角度θが５〜３５°に設定されている。そして、第２光源３からの傾斜光１２が、この有効傾斜面２２に入射すると、光源３から遠ざかる方向に反射される。この反射光１４は、導光板１の表面１Ｃで屈折され、臨界角付近で表面１Ｃから出射する。この出射光が拡散シート４に入射すると、照明装置の光軸１９から広い角度範囲β１に分布する拡散光１８に変換される。
【００２９】
また、図４（ｂ）に示す第２溝２０ｃは、有効傾斜面２２の有効傾斜角度θが５０〜７０°に設定されている。そして、第２光源３からの傾斜光１２が、導光板１の裏面１Ｄで全反射した後に、この有効傾斜面２２に入射すると、光源３に近づく方向に反射される。この反射光１４は、導光板１の表面１Ｃで屈折され、臨界角付近で表面１Ｃから出射する。この出射光が拡散シート４に入射すると、照明装置の光軸１９から広い角度範囲β２に分布する拡散光１８に変換される。
【００３０】
このように、第１溝２０ｂおよび第２溝２０ｃを導光板１に形成すれば、照明装置の光軸を中心として広い角度範囲β１＋β２に拡散光１８が分布する。そして、この拡散光１８を、図１（ｂ）に示す液晶パネル１００に入射させることにより、広視野角の画像表示を実現することができる。
【００３１】
以上に詳述したように、本実施形態に係る照明装置は、各光源からの光を反射してそれぞれ異なる出射角で導光板の表面から出射させる複数の傾斜面を設けるとともに、各光源をそれぞれ独立して駆動可能とした。この構成によれば、各光源を独立して駆動することにより、出射光の出射角の大小を切り替えることができる。そして、この出射光を液晶パネルに入射させることにより、視野角の広狭を切り替えて使用することができる。
【００３２】
なお、第１光源２および第２光源３を同時に点灯させてもよい。この場合、狭視野角用の第１光源２および広視野角用の第２光源３によって狭視野角の範囲が照明され、広視野角用の第２光源３のみによって広視野角の範囲が照明される。これにより、相対的に見ると狭視野角の範囲が明るくなり、広視野角の範囲が暗くなる。なお、狭視野角の範囲においてそこまでの明るさが必要ないという場合には、狭視野角用の第１光源２の出射光量を調整しうるようにすればよい。具体的には、第２光源の駆動信号を制御したり、電気抵抗を負荷したりすることで、出射光量を調整することができる。同様に、広視野角用の第２光源３の出射光量を調整することも可能である。
【００３３】
（第２実施形態）
図５は、第２実施形態に係る照明装置の説明図である。第２実施形態に係る照明装置は、導光板１の表面１Ｃ上に、導光板１の表面１Ｃと対向する側に凹凸形状を有するプリズムシート６が配置されている点で、拡散シートが配置されている第１実施形態とは異なっている。また、これに伴って導光板１に形成される溝形状が第１実施形態とは異なっている。なお、第１実施形態と同様の構成となる部分については、同一の符号を付してその詳細な説明を省略する。
【００３４】
第２実施形態では、図５に示すように、導光板１の表面１Ｃ上にプリズムシート６が配置されている。このプリズムシート６は、光透過性材料により三角柱状または四角柱状に形成された複数のプリズム７が、各プリズム７の頂点を光入射側（導光板１側）に向けて整列配置されたものである。各プリズム７の頂角φは５５〜７０°、好ましくは６３〜６８°に形成されている。このようなプリズム７を備えたプリズムシートは安価であり、容易に入手することができる。
なお、導光板１の裏面１Ｄは、液晶パネル１００に対する平行面としてもよいが、光源２からの光を液晶パネル１００に向けて効率的に反射しうるように、液晶パネル１００に対する傾斜面としてもよい。
【００３５】
図６は、溝形状および光の反射作用の説明図である。上述したプリズムシートは、導光板１からの出射角の大きい光をプリズムシート６からの出射角の小さい光に変換し、導光板１からの出射角の小さい光をプリズムシート６からの出射角の大きい光に変換する性質を有する。そこで、第２本実施形態では、第１光源２からの光を大きい出射角で導光板１から出射させるとともに、第２光源３からの光を小さい出射角で導光板１から出射させる。これに合わせて、第１光源２からの光を反射する溝２０ａおよび第２光源３からの光を反射する溝２０ｂには、それぞれ異なる有効傾斜角度の有効傾斜面が設けられている。
【００３６】
図６（ａ）は、第１光源２に対応する溝２０ａの形状と、その溝２０ａによる光の反射作用の説明図である。導光板１の裏面１Ｄには、断面形状がほぼ等しい複数の溝２０ａが連続して形成されている。その溝２０ａにおける有効傾斜面２２の有効傾斜角度θは０．５〜５°、好ましくは２°程度に形成されている。
【００３７】
そして、光源２からの傾斜光１２ｒが、最初の溝２０ａにおける有効傾斜面２２ｒに入射すると、その入射角より小さい出射角の反射光１４ｒに変換される。その出射角が導光板表面における臨界角を超えない場合には、反射光１４ｒは導光板１の表面１Ｃで全反射される。その反射光１２ｓが、２番目の溝２０ａにおける有効傾斜面２２に入射すると、その入射角よりさらに小さい出射角の反射光１４ｓに変換される。このように、光源２からの光が、溝２０ａの有効傾斜面２２における反射および導光板１の表面１Ｃにおける全反射を繰り返す間に、導光板１の法線方向に対する角度が導光板表面における臨界角以上となる反射光１４ｓに変換される。この反射光１４ｓは、導光板１の表面１Ｃから臨界角付近で出射する。
【００３８】
このような出射光１５が、一方の斜辺からプリズム７に入射すると、他方の斜辺において全反射し、照明装置の光軸と略平行な出射光１８に変換される。そして、この出射光１８を、図５に示す液晶パネル１００に入射させることにより、狭視野角の画像表示を実現することができる。
【００３９】
図６（ｂ）は、第２光源３に対応する溝２０ｂの形状と、その溝２０ｂによる光の反射作用の説明図である。導光板１の裏面１Ｄには、有効傾斜角度θが２０〜５０°の有効傾斜面２２を備えた溝２０ｂが形成されている。
【００４０】
そして、光源３からの傾斜光１２が、溝２０ｂにおける有効傾斜面２２に入射すると、導光板１の法線方向と略平行な反射光１４に変換される。この反射光１４が導光板１から出射されてプリズム７に入射すると、そのプリズム７の一方の斜辺および底辺において屈折され、出射角β１の出射光１８ａに変換される。なお、導光板１からの出射光が他方の斜辺からプリズム７に入射すると、照明装置の光軸に対して前記出射光１８ａと対称な出射角β２の出射光１８ｂに変換される。これにより、出射光１８ａ，１８ｂは、照明装置の光軸を中心として広い角度範囲β１＋β２に分布する。そして、この出射光１８ａ，１８ｂを、図５に示す液晶パネル１００に入射させることにより、広視野角の画像表示を実現することができる。特に、第１光源２および第２光源３を同時に点灯させた場合には、狭視野角および広視野角の全範囲で画像表示を実現することができる。
【００４１】
以上に詳述した第２実施形態の照明装置でも、第１実施形態と同様に、出射光の出射角の大小を切り替えることができる。そして、この出射光を液晶パネルに入射させることにより、視野角の広狭を切り替えて使用することができる。
【００４２】
図７は、第２実施形態に係る照明装置の変形例の説明図である。第２実施形態に係る照明装置の変形例は、導光板１の表面１Ｃ上に、プリズムシート６および拡散シート４が順次配設されている点で、拡散シート４のみが配設された第１実施形態およびプリズムシート６のみが配設された第２実施形態とは異なっている。この場合にも、図６に示す第２実施形態と同様に、第１光源２に対応する溝２０ａおよび第２光源３に対応する溝２０ｂを導光板１に形成すればよい。これにより、第１光源からの光によって狭視野角の画像表示を実現することができるとともに、第２光源からの光によって広視野角の画像表示を実現することができる。
【００４３】
［液晶表示装置］
次に、各実施形態の照明装置の光出射側に液晶パネルを備えた液晶表示装置につき、図７および図８を用いて説明する。
【００４４】
図８は液晶パネルの分解斜視図であり、図９は図８のＰ−Ｐ線における側面断面図である。図９に示すように、液晶パネル９０は、下基板７０および上基板８０により液晶層９２を挟持して構成されている。この液晶層９２にはネマチック液晶等が採用され、液晶パネル９０の動作モードとしてツイステッドネマチック（ＴＮ）モードが採用されている。なお上記以外の液晶材料を採用することも可能であり、また上記以外の動作モードを採用することも可能である。なお以下には、スイッチング素子としてＴＦＤ素子を用いたアクティブマトリクス型の液晶パネルを例にして説明するが、これ以外のアクティブマトリクス型の液晶パネルやパッシブマトリクス型の液晶パネルを採用することも可能である。
【００４５】
図８に示すように、液晶パネル９０では、ガラス等の透明材料からなる下基板７０および上基板８０が対向配置されている。
上基板８０の内側には、複数のデータ線８１が形成されている。そのデータ線８１の側方には、ＩＴＯ等の透明導電性材料からなる複数の画素電極８２が、マトリクス状に配置されている。なお、各画素電極８２の形成領域により画素領域が構成されている。この画素電極８２は、ＴＦＤ素子８３を介して各データ線８１に接続されている。このＴＦＤ素子８３は、基板表面に形成されたＴａを主成分とする第１導電膜と、その第１導電膜の表面に形成されたＴａ２Ｏ３を主成分とする絶縁膜と、その絶縁膜の表面に形成されたＣｒを主成分とする第２導電膜とによって構成されている（いわゆるＭＩＭ構造）。そして、第１導電膜がデータ線８１に接続され、第２導電膜が画素電極８２に接続されている。これによりＴＦＤ素子８３は、画素電極８２への通電を制御するスイッチング素子として機能する。
【００４６】
一方、下基板７０の内側には、カラーフィルタ膜７６が形成されている。カラーフィルタ膜７６は、平面視略矩形状のカラーフィルタ７６Ｒ，７６Ｇ，７６Ｂによって構成されている。各カラーフィルタ７６Ｒ，７６Ｇ，７６Ｂは、それぞれ異なる色光のみを透過する顔料等によって構成され、各画素領域に対応してマトリクス状に配置されている。また、隣接する画素領域からの光洩れを防止するため、各カラーフィルタの周縁部には遮光膜７７が形成されている。この遮光膜７７は、光吸収性を有する黒色の金属クロム等により、額縁状に形成されている。さらに、カラーフィルタ膜７６および遮光膜７７を覆うように、透明な絶縁膜７９が形成されている。
【００４７】
その絶縁膜７９の内側には、複数の走査線７２が形成されている。この走査線７２は、ＩＴＯ等の透明導電材料によって略帯状に形成され、上基板８０のデータ線８１と交差する方向に延在している。そして走査線７２は、その延在方向に配列された前記カラーフィルタ７６Ｒ，７６Ｇ，７６Ｂを覆うように形成され、対向電極として機能するようになっている。そして、走査線７２に走査信号が供給され、データ線８１にデータ信号が供給されると、対向する画素電極８２および対向電極７２により、液晶層に電界が印加されるようになっている。
【００４８】
また図９に示すように、画素電極８２および対向電極７２を覆うように、配向膜７４，８４が形成されている。この配向膜７４，８４は、電界無印加時における液晶分子の配向状態を制御するものであり、ポリイミド等の有機高分子材料によって構成され、その表面にラビング処理が施されている。これにより電界無印加時には、配向膜７４，８４の表面付近における液晶分子が、その長軸方向をラビング処理方向に一致させて、配向膜７４，８４と略平行に配向されるようになっている。なお、配向膜７４の表面付近における液晶分子の配向方向と、配向膜８４の表面付近における液晶分子の配向方向とが、所定角度だけずれるように、各配向膜７４，８４に対してラビング処理が施されている。これにより、液晶層９２を構成する液晶分子は、液晶層９２の厚さ方向に沿ってらせん状に積層されるようになっている。
【００４９】
また、両基板７０，８０は、熱硬化型や紫外線硬化型などの接着剤からなるシール材９３によって周縁部が接合されている。そして、両基板７０，８０とシール材９３とによって囲まれた空間に、液晶層９２が封止されている。なお、液晶層９２の厚さ（セルギャップ）は、両基板の間に配置されたスペーサ粒子９５によって規制されている。
一方、下基板７０および上基板８０の外側には、偏光板（不図示）が配置されている。各偏光板は、相互の偏光軸（透過軸）が所定角度だけずれた状態で配置されている。また入射側偏光板の外側には、バックライトとして前記各実施形態の照明装置（不図示）が配置されている。
【００５０】
そして、バックライトから照射された光は、入射側偏光板の偏光軸に沿った直線偏光に変換されて、下基板７０から液晶層９２に入射する。この直線偏光は、電界無印加状態の液晶層９２を透過する過程で、液晶分子のねじれ方向に沿って所定角度だけ旋回し、出射側偏光板を透過する。これにより、電界無印加時には白表示が行われる（ノーマリーホワイトモード）。一方、液晶層９２に電界を印加すると、電界方向に沿って配向膜７４，８４と垂直に液晶分子が再配向する。この場合、液晶層９２に入射した直線偏光は旋回しないので、出射側偏光板を透過しない。これにより、電界無印加時には黒表示が行われる。なお、印加する電界の強さによって階調表示を行うことも可能である。
液晶表示装置９０は、以上のように構成されている。
【００５１】
［電子機器］
図１０は、本発明に係る電子機器の一例を示す斜視図である。この図に示す携帯電話１３００は、上述した液晶表示装置を小サイズの表示部１３０１として備え、複数の操作ボタン１３０２、受話口１３０３、及び送話口１３０４を備えて構成されている。
上述した液晶表示装置は、上記携帯電話に限らず、電子ブック、パーソナルコンピュータ、ディジタルスチルカメラ、液晶テレビ、ビューファインダ型あるいはモニタ直視型のビデオテープレコーダ、ページャ、電子手帳、電卓、ワードプロセッサ、テレビ電話、タッチパネルを備えた機器等々の携帯型電子機器の画像表示手段として好適に用いることができ、いずれの場合にも視野角の広狭を切り替えて使用することが可能な電子機器を提供することができる。
【００５２】
なお、本発明の技術範囲は、上述した各実施形態に限定されるものではなく、本発明の趣旨を逸脱しない範囲において、上述した実施形態に種々の変更を加えたものを含む。すなわち、各実施形態で挙げた具体的な材料や構成などはほんの一例に過ぎず、適宜変更が可能である。
【図面の簡単な説明】
【００５３】
【図１】第１実施形態に係る照明装置の説明図である。
【図２】様々な反射手段の説明図である。
【図３】第１光源に対応する溝の形状とその溝による光の反射作用の説明図である。
【図４】第２光源に対応する溝の形状とその溝による光の反射作用の説明図である。
【図５】第２実施形態に係る照明装置の説明図である。
【図６】溝形状および光の反射作用の説明図である。
【図７】第２実施形態に係る照明装置の変形例の説明図である。
【図８】液晶表示装置の分解斜視図である。
【図９】液晶表示装置の側面断面図である。
【図１０】携帯電話の斜視図である。
【符号の説明】
【００５４】
１‥導光板  １ａ，１ｂ‥角部  １Ｃ‥表面  ２，３‥光源  ９‥制御部  ２０ａ，２０ｂ，２０ｃ‥溝  ２２‥傾斜面
【図１】
2005331565.tif 000003
【図２】
2005331565.tif 000004
【図３】
2005331565.tif 000005
【図４】
2005331565.tif 000006
【図５】
2005331565.tif 000007
【図６】
2005331565.tif 000008
【図７】
2005331565.tif 000009
【図８】
2005331565.tif 000010
【図９】
2005331565.tif 000011
【図１０】
2005331565.tif 000012